(57)【要約】【課題】機内温度に基づいて、複数の色間の走査光同士の位置ずれを予測して、補正する場合に、例えば、経時的に変化する光走査部のひずみに起因する光走査光の走査軌跡のずれをさらに補正する。【解決手段】機内温度を温度検知センサ１８でモニターし、機内温度がＯＬＴ１に達したことを検知すると、温度勾配単位が１℃であれば、ＯＬＴ１×ＡＵｐをカラーレジずれの補正量として算出する。この補正量は、経時劣化によるカラーレジずれ量が加味されていないことになる。そこで、ひずみセンサ５０による検出結果Ｈを補正量に反映させる。ひずみセンサ５０による検出結果Ｈは、検出出力値Ｈｍと、予め実験で求めた基準出力値Ｈｄとの差Δを示す。この結果、補正値ＨＯＳＥＩは、以下の式で表すことができる。              ＨＯＳＥ＝ＨＯＳＥＩ＋ＯＬＴ１×ＡＵｐ＋Ｈ【選択図】図４
2010072325.tif 000002
【特許請求の範囲】
【請求項１】
筐体に覆われた空間に設けられ、画像データに基づいて走査光を出力する光走査部、並びに前記光走査部から出力された走査光に基づいて像保持体に像を形成する複数の画像形成部を備え、当該複数の画像形成部で形成された色の異なる画像を互いに重ね合わせることによって、単一の画像を形成する画像形成手段と、
前記光走査部における走査軌跡を逸脱させる原因となるひずみを検出するひずみ検出手段と、
前記ひずみ検出手段による検出結果に基づいて、前記複数の画像形成部のうち、少なくとも１つの画像形成部で形成される画像の位置ずれを補正する位置ずれ補正手段と、
を有する画像形成装置。
【請求項２】
筐体に覆われた空間に設けられ、画像データに基づいて走査光を出力する光走査部、並びに前記光走査部から出力された走査光に基づいて像保持体に像を形成する複数の画像形成部を備え、当該複数の画像形成部で形成された色の異なる画像を互いに重ね合わせることによって、単一の画像を形成する画像形成手段と、
前記筐体内の温度を検出する温度検出手段と、
前記複数の画像形成部のうち、少なくとも１つの画像形成部で形成される画像の位置ずれを、前記温度検出手段の検出結果に基づいて予測補正する位置ずれ予測補正手段と、
前記光走査部における走査軌跡を逸脱させる原因となるひずみを検出するひずみ検出手段と、
前記ひずみ検出手段による検出結果に基づいて前記予測補正手段による予測補正値をさらに補正するひずみ補正手段と、
を有する画像形成装置。
【請求項３】
前記ひずみ検出手段が、前記光走査部の構成部材を収容する収容躯体、前記構成部材の一部である光学系を保持する保持部材、前記光学系の非光学作用領域の少なくとも何れか１つに設けられている請求項１又は請求項２記載の画像形成装置。
【請求項４】
前記温度検出手段の検出結果に基づいて、温度の上昇時と下降時とで、前記位置ずれ予測補正手段による予測補正を異ならせている請求項１〜請求項３の何れか１項記載の画像形成装置。
【請求項５】
軸受に支持されて回転する回転多面鏡と、
回転多面鏡の反射鏡面に向けて光ビームを照射する光出力手段と、
前記光ビームが回転する前記回転多面鏡に入射したときの反射光である走査光を、感光体へ案内すると共に、前記走査光の走査方向両端が保持部材によって保持された光学部材と、
少なくとも前記回転多面鏡、光出力手段、光学部材を収容する躯体と、
前記躯体、保持部材、光学部材の非光学作用領域の少なくとも１つに取り付けられ、当該取付部位のひずみ量を検出するひずみ検出手段と、
を有する光走査装置。
【発明の詳細な説明】
【技術分野】
【０００１】
本発明は、画像形成装置、及び光走査装置に関する。
【背景技術】
【０００２】
近年では、プリンタや複写機等の画像形成装置において、カラーの画像を形成する装置が広く普及している。この種の画像形成装置では、例えば、ブラック（Ｋ）、イエロー（Ｙ）、マゼンタ（Ｍ）、シアン（Ｃ）の色毎に設けられたそれぞれ画像形成部が、記録用紙等の転写対象の移動方向に沿って配列されたものがある（タンデム型画像形成装置）。
【０００３】
タンデム型画像形成装置では、各画像形成部での画像データに基づいて光ビームの照射による画素パターンにより感光体ドラム上に静電潜像を形成し（主走査及び副走査）、現像処理によって色の異なる画像（トナー画像）に現像し、このトナー画像を、定速で搬送される転写対象に順次重ねて転写することで、カラー画像を得るようになっている。
【０００４】
画像形成部は、一般に、光学系機差、組付誤差、温湿度等の環境変動等により、主走査方向の長さが変動することがある（主走査方向倍率ずれ）。
【０００５】
タンデム方式の画像形成装置においては、各画像形成ステーションで形成されるイエロー、マゼンタ、シアン、ブラック等の各色の画像を、如何に精度良く重ね合わせて、一枚のカラー画像を得るかが重要となる。
【０００６】
そこで、従来の画像形成装置では、イエロー、マゼンタ、シアン、ブラック等の各色の画像のずれ量を検出し、各色の画像のずれ量（カラーレジずれ量とも称する）に応じて、画像形成位置を補正するように構成されている。
【０００７】
補正に関する技術として、装置内の温度を検出して、カラーレジずれを予測補正するように構成した場合に、温度の上昇時と下降時とも、カラーレジずれを精度良く予測補正することが可能な画像形成装置が提案されている（特許文献1参照）。
【０００８】
この特許文献１では、画像形成装置内の温度を検出する温度検出手段と、前記温度検出手段の検出結果に基づいて予測補正する位置ずれ予測補正手段とを備え、前記温度検出手段の検出結果に基づいて、温度の上昇時と下降時とで、前記位置ずれ予測補正手段による予測補正を異ならせたことを特徴としている。
【特許文献１】特開２００５−２３４０９９公報
【発明の開示】
【発明が解決しようとする課題】
【０００９】
本発明は、複数の走査光同士の位置ずれの要因となるひずみ量を検出することができる画像形成装置及び光走査装置を得ることが目的である。
【課題を解決するための手段】
【００１０】
請求項１に記載の発明は、筐体に覆われた空間に設けられ、画像データに基づいて走査光を出力する光走査部、並びに前記光走査部から出力された走査光に基づいて像保持体に像を形成する複数の画像形成部を備え、当該複数の画像形成部で形成された色の異なる画像を互いに重ね合わせることによって、単一の画像を形成する画像形成手段と、前記光走査部における走査軌跡を逸脱させる原因となるひずみを検出するひずみ検出手段と、前記ひずみ検出手段による検出結果に基づいて、前記複数の画像形成部のうち、少なくとも１つの画像形成部で形成される画像の位置ずれを補正する位置ずれ補正手段と、を有している。
【００１１】
請求項２に記載の発明は、筐体に覆われた空間に設けられ、画像データに基づいて走査光を出力する光走査部、並びに前記光走査部から出力された走査光に基づいて像保持体に像を形成する複数の画像形成部を備え、当該複数の画像形成部で形成された色の異なる画像を互いに重ね合わせることによって、単一の画像を形成する画像形成手段と、前記筐体内の温度を検出する温度検出手段と、前記複数の画像形成部のうち、少なくとも１つの画像形成部で形成される画像の位置ずれを、前記温度検出手段の検出結果に基づいて予測補正する位置ずれ予測補正手段と、前記光走査部における走査軌跡を逸脱させる原因となるひずみを検出するひずみ検出手段と、前記ひずみ検出手段による検出結果に基づいて前記予測補正手段による予測補正値をさらに補正するひずみ補正手段と、を有している。
【００１２】
請求項３に記載の発明は、前記請求項１又は請求項２に記載の発明において、前記ひずみ検出手段が、前記光走査部の構成部材を収容する収容躯体、前記構成部材の一部である光学系を保持する保持部材、前記光学系の非光学作用領域の少なくとも何れか１つに設けられている。
【００１３】
請求項４に記載の発明は、前記請求項１〜請求項３の何れか１項記載の発明において、前記温度検出手段の検出結果に基づいて、温度の上昇時と下降時とで、前記位置ずれ予測補正手段による予測補正を異ならせている。
【００１４】
請求項５に記載の発明は、軸受に支持されて回転する回転多面鏡と、回転多面鏡の反射鏡面に向けて光ビームを照射する光出力手段と、前記光ビームが回転する前記回転多面鏡に入射したときの反射光である走査光を、感光体へ案内すると共に、前記走査光の走査方向両端が保持部材によって保持された光学部材と、少なくとも前記回転多面鏡、光出力手段、光学部材を収容する躯体と、前記躯体、保持部材、光学部材の非光学作用領域の少なくとも１つに取り付けられ、当該取付部位のひずみ量を検出するひずみ検出手段と、を有している。
【発明の効果】
【００１５】
請求項１記載の発明によれば、複数の走査光同士の位置ずれの要因となるひずみ量を検出することができる。
【００１６】
請求項２記載の発明によれば、機内温度に基づいて、複数の色間の走査光同士の位置ずれを予測して、補正する場合に、例えば、経時的に変化する光走査部のひずみに起因する光走査光の走査軌跡のずれをさらに補正することができる。
【００１７】
請求項３記載の発明によれば、本構成を有しない場合に比べて、ひずみ検出手段による検出精度を向上することができる。
【００１８】
請求項４記載の発明によれば、本構成を有しない場合に比べて、機内温度検出による位置ずれ予測の精度を向上することができる。
【００１９】
請求項５に記載の発明によれば、複数の走査光同士の位置ずれの要因となるひずみ量を検出することができる。
【発明を実施するための最良の形態】
【００２０】
（画像形成装置の全体構成）
図１は、本実施の形態に係る画像形成装置１１０の構成を示す図である。
【００２１】
画像形成装置１１０は、４色のトナー（イエロー（Ｙ）、マゼンタ（Ｍ）、シアン（Ｃ）、ブラック（Ｋ））によるフルカラー画像形成を行うプロセスカートリッジ１２０を各色に対応して上下方向に４つ配列している。
【００２２】
各トナーＹ、Ｍ、Ｃ、Ｋは、特に製造方法により限定されるものではなく、各種のトナーが使用可能である。
【００２３】
ここで、プロセスカートリッジ１２０は、感光体ドラム１１６と、感光体ドラム１１６の周囲に配設された帯電ロール１１８、イレーズランプ１２２、及び感光体ドラム１１６に作像される静電潜像に対して、各色のトナーの現像を行う現像装置１１１Ａ、１１１Ｂ、１１１Ｃ、１１１Ｄなどで構成されている。
【００２４】
一方、画像形成装置１１０の下部には、用紙Ｐが収納された給紙カセット１２４が設けられている。給紙カセット１２４の近傍には、用紙Ｐを所定のタイミングで送り出すピックアップロール１２６が設けられている。
【００２５】
ピックアップロール１２６は、給紙カセット１２４から用紙Ｐを送り出し、搬送ロール１２８、用紙搬送路１３２及びレジストレーションロール１３０を介して、用紙Ｐをプロセスカートリッジ１２０に搬送する搬送装置１４４へ搬送する。
【００２６】
プロセスカートリッジ１２０は、用紙搬送路１３２の上流側（紙面の下側）から前述のＹ、Ｍ、Ｃ、Ｋの色の順に配設されている。プロセスカートリッジ１２０の図１の左側には、プロセスカートリッジ１２０に走査光を照射する光走査装置２０が配設されている。
【００２７】
光走査装置２０は筐体２０Ａに覆われており、Ｙ〜Ｋ４色それぞれのモノシリックな半導体レーザー（面発光レーザー）から発せられた光ビームをコリメータレンズ、シリンドリカルレンズで集光し、ポリゴンミラー２３で主走査方向に偏向（走査）して、ｆθレンズに入射し、２色ずつ副走査方向に分割されるようになっている。
【００２８】
ｆθレンズを出射した光ビームは、複数の反射ミラー２５により、最終的に１色ずつ副走査方向に分割されて、各感光体ドラム１１６へ結像する。
【００２９】
搬送装置１４４は、画像形成装置１１０の側壁１１０Ａに沿って設けられた一対の張架ロール１４６、１４８と、この張架ロール１４６、１４８に巻き掛けられた搬送ベルト１５０と、を備えている。
【００３０】
張架ロール１４６の近傍には、吸着ロール１５４が配設されており、この吸着ロール１５４にバイアス電圧が印加されることによって、搬送ベルト１５０に用紙Ｐが静電的に吸着される。張架ロール１４８は、図示しないモータによって回転され、搬送ベルト１５０を側壁１１０Ａに沿って移動させる。搬送ベルト１５０を挟んで張架ロール１４８に対向する位置に、基準パッチの濃度を検出する濃度センサ１５５（画像位置検出器）が設けられている。
【００３１】
搬送ベルト１５０の内周側であって各色の感光体ドラム１１６に対向する位置には、それぞれ転写ロール１５２が配設されている。各々の転写ロール１５２は、感光体ドラム１１６上に形成されたトナー像Ｙ、Ｍ、Ｃ、Ｋを、搬送ベルト１５０によって搬送されている用紙Ｐに順次転写する。
【００３２】
そして、定着装置１５６は、用紙Ｐに転写されたトナー像を定着する。排出ロール１５８は、トナー像が定着された用紙Ｐを排出トレイ１６０へ排出する。
【００３３】
また、制御ユニット１６６は、本装置全体の制御を行うものであり、例えば外部から入力された画像データや濃度センサ１５５の出力に基づいて、露光装置１３４や現像装置１１１を制御する。
【００３４】
また、各々の転写ロール１５２は、感光体ドラム１１６上に形成された画像位置検出用パターン（基準パッチ）のトナー像Ｙ、Ｍ、Ｃ、Ｋを、搬送ベルト１５０に順次転写する。ここで、画像位置検出用パターンは、現像装置１１１内のトナー濃度と基準パッチ位置を測定するために用いられる。具体的には、濃度センサ１５５で検出される画像位置検出用パターンの濃度に応じて、現像装置１１１へのトナーの補給や露光量等の画像形成条件が制御される。また、画像位置検出用パターン位置は、各画像位置検出用パターンが濃度センサ１５５を通過するタイミングを測定し、ずれ量が検出される。測定されたずれ量に応じて、画像形成開始タイミング補正量や、主走査方向倍率ずれの補正量が決定される。
【００３５】
上記の如く構成される、所謂タンデム方式の画像形成装置１１０では、運搬・設置時の振動や、給紙トレイの開け閉め、あるいは温度変化や経年変化等、種々の要因によって、各画像形成部そのものの位置や、各画像形成部を構成する感光体ドラム１１６や光走査装置２０等に位置的な変動が生じ、画像の位置ずれ（カラーレジずれともいう。）が発生する場合がある。表1にその一例を示す。
【００３６】
【表１】
2010072325.tif 000003
【００３７】
表１に示されるような、種々の原因によって、主走査方向及び副走査方向の位置、主走査方向の倍率、主走査方向の部分倍率、副走査方向の倍率、副走査方向の部分倍率、リードのスキュー、サイドのスキュー、リードのリニアリティ、サイドのリニアリティ、副走査方向の周期的ずれ、主走査方向の周期的ずれ等のレジずれが生じるが、これらの画像のレジずれが重ね合わされて、ＤＣ的なずれ（均一なずれ）やＡＣ的なずれ（周期的なずれ）が生じ、カラーレジずれとなって現れる場合がある。
【００３８】
そこで、特定の時期に、感光体ドラム等に画像位置検出用パターンを形成し、この画像位置検出パターンを濃度センサ１５５によって濃度を検出して、画像の位置ずれ量を求める、カラーレジずれ量の演算及び補正（フィードバック補正）が一般的に実行されている。
【００３９】
図２に示される如く、制御ユニット１６６は、マイクロコンピュータ１０を備えている。マイクロコンピュータ１０には、レジずれ補正動作で適宜使用されるレジずれ検出用パターンの画像情報やパラメータを記憶する記憶手段としての不揮発性メモリ（ＮＶＭ）１２が接続されている。
【００４０】
また、上記制御ユニット１６６のマイクロコンピュータ１０には、画像データを展開するための描画メモリ１４を備えた画像データ展開回路（Video Asic）１４が接続されており、当該画像データ展開回路（Video Asic）１４からは、光走査装置２０のＲＯＳ制御部１６に各色の画像データが送られるようになっている。
【００４１】
また、上記制御ユニット１６６は、イエロー、マゼンタ、シアン、ブラックのうち、例えば、基準色以外の３つで形成される画像の位置ずれを、後述する温度検出手段の検出結果に基づいて予測補正する位置ずれ予測補正手段としての機能を備えている。
【００４２】
さらに、上記制御ユニット１６６は、濃度センサ１５５による画像位置検出用パターンの検出結果に基づいて、各画像形成の位置ずれ量を演算する位置ずれ量演算手段としても機能するようになっている。さらに、１８は画像形成装置１１０内の温度（以下、適宜「機内温度」という）を検出する温度検出手段としての温度センサーである。
【００４３】
また、光走査装置２０には、ひずみセンサ５０（詳細後述）が備えられ、当該ひずみセンサ５０による検出信号は、マイクロコンピュータ１０へ送出されるようになっている。
【００４４】
カラーレジずれ量の演算及び補正動作は、図３に示すようなプロセスに従って行われる。
【００４５】
まず、現在の色ずれ量を測定するため、画像位置検出用パターンを感光体ドラム１１６、搬送ベルト１５０上の記録用紙Ｐを保持する領域以外に形成し（ステップ２００）、この画像位置検出用パターンを濃度センサ１５５で検出し（ステップ２０２）、当該濃度センサ１５５の検出データに基づいて色ずれ量を演算し（ステップ２０４）、その演算結果から色ずれを補正するための色ずれ補正量を判定して（ステップ２０６）、最終的に色ずれの補正動作が行われる（ステップ２０８）。
【００４６】
また、本実施の形態の画像形成装置１１０では、画像位置検出用パターンを検知して、色ずれの補正を行う間隔よりも短い間隔で、画像形成装置１１０の温度が温度検知センサ１８（図２参照）によってモニターされるようになっており、画像形成動作に伴って機内温度が上昇したり、休止時間に伴って機内温度が下降したりするかを判別する。
【００４７】
この判別に基づき、機内温度が上昇傾向のときと、機内温度が下降傾向のときとで、ことなる特性曲線（図４のヒステリシス曲線）に基づいて、カレーレジずれ量、又はその補正量を予測するようにしている。
【００４８】
ところで、画像形成装置１１０では、上記温度変化による予測だけでは、経時劣化等に起因するカラーレジずれが考慮されない場合がある。
【００４９】
例えば、光走査装置２０の筐体２０Ａが機内で支持されているが、この支持状態が、経時劣化により、徐々にずれる場合がある。
【００５０】
また、ポリゴンミラー２３は高速で回転し、停止する機械的構造の中でも、最も苛酷な動作を繰り返す構造となっており、例えば、ポリゴンミラーモータの回転軸を支持する軸受が摩耗すると、軸受損失が増加し、光走査装置内部の温度が上昇することになる。これにより、光走査装置を構成する部品の機械的な位置が変わり、光ビームの走査位置が変化する場合がある。なお、光ビームの走査位置の変化は上記に限定されるものではない。
【００５１】
そこで、本実施の形態では、前記温度変化による予測制御に、機内の適宜箇所にひずみセンサ５０を取り付けて、このひずみセンサ５０によって検出した値に基づいて、温度変化によるカラーレジずれ量またはその補正量を、さらに補正するようにした。
【００５２】
図５は、本実施の形態に係るひずみセンサ５０の概略図が示されている。
【００５３】
図５（Ａ）に示される如く、ひずみセンサ５０は、ストレンゲージ５２とブリッジ回路５４を備えている。すなわち、ブリッジ回路５４の四隅を結ぶ４個の配線５４Ａ、５４Ｂ、５４Ｃ、５４Ｄの内、対面する２個の配線５４Ａ、５４Ｃには、それぞれ固定抵抗５６、５８が介在されている。
【００５４】
また、配線５４Ｂには、摺動抵抗６０が介在されており、定電圧駆動の印加電圧値Ｅｉに対する出力電圧値Ｅｏの調整用とされている。
【００５５】
ここで、残りの配線５４Ｄには、ストレンゲージ５２が介在されている。
【００５６】
図５（Ｂ）に示される如く、ストレンゲージ５２は、長方形のゲージベース６２と、ゲージベース６２上を平面視で略Ｕ字状に往復配線されたゲージ６４と、ゲージベース６２の一方の短辺側に設けられた一対の外部配線端子部６６と、を有している。このストレンゲージ５２がひずむことでゲージ長が変化し、抵抗値が変化するようになっている。一対の外部配線端子６６は、前記配線５４Ｄ（図５（Ａ）参照）の両端に接続されている。
【００５７】
上記構成のひずみセンサ５０は、図６に示される如く、光走査装置２０に取り付けられている。
（光走査装置２０の筐体２０Ａへの取付例）
図６（Ａ）に示される如く、光走査装置２０は筐体２０Ａに覆われており、図６（Ａ）の左右方向が主走査方向となっている。
【００５８】
筐体２０Ａの外側には、機内に対して３点支持するためのボス部７０、７２、７４が突出されている。
【００５９】
筐体２０Ａ内には、前述したポリゴンミラー２３（図６では図示省略）の他、光走査に必要な部品（レーザー、光学系）が取り付けられており、その中でも光ビームの主走査方向に沿って長手方向となる反射ミラー２５が、前記筐体２０Ａにおける主走査方向両端の側壁部に沿って設けられた一対の保持部材２０Ｂに掛け渡されている。
【００６０】
前記ひずみセンサ５０は、この保持部材２０Ｂに貼り付けられている（図６（Ａ）の「保持部材貼付例１」及び「保持部材貼付例２」参照）。貼り付け位置は、ひずみ検出方向を温度変化に基づく予測に反映させたい向きとすればよい。
【００６１】
例えば、保持部材２０Ｂに対して前記ゲージ６４の長手方向を主走査方向に沿うようにすれば、主走査方向の温度変化に基づくカラーレジ予測補正のさらなる補正が可能である。また、例えば、保持部材２０Ｂに対して前記ゲージ６４の長手方向を副走査方向に沿うようにすれば、副走査方向の温度変化に基づくカラーレジ予測補正のさらなる補正が可能である。当然、２個のひずみセンサ５０を主走査方向及び副走査方向にそれぞれ貼り付けることも可能である。
【００６２】
図６（Ｂ）及び（Ｃ）は、光走査装置２０の筐体２０Ａの変形状態を示したものである。このような変形があると、図６（Ｂ）の状態から図６（Ｃ）に示すように、各色の矢印Ｃ，Ｍ，Ｙ，Ｋのように副走査方向にずれが生じることになる。このような場合は、ひずみセンサ５０のゲージ６４の長手方向を、保持部材２０Ｂに対して、副走査方向に沿うように貼り付ければよい。
（反射ミラー２５への取付例）
図７は、前記ひずみセンサ５０を、光走査装置２０、或いは光走査装置２０と感光体ドラム１１６との間を案内する反射ミラー２５へ貼り付けた例を示している（図６（Ａ）の「反射ミラー貼付例」参照）。
【００６３】
図７に示される如く、反射ミラー２５における非反射面、すなわち裏面側にひずみセンサ５０を貼り付ける。この反射ミラー２５の裏面への貼り付けにより、ひずみセンサ５０は、走査線の倍率誤差ずれに対する補正の、さらなる補正に適用される。
【００６４】
一般的には、ひずみセンサ５０は、反射ミラー２５の裏面において、主走査方向の中間位置に貼り付けられる。これは、温度変化による筐体２０Ａ又は保持部材２０Ｂ（図６参照）の伸縮で、反射ミラーの長手方向に応力がかかり、ミラー面が湾曲することによる倍率ずれ量を、実温度変動の下でひずみ量として検出することが可能となる。なお、ひずみ量と倍率ずれ量とは予めテーブル化しておけばよい。
【００６５】
以下、前述した図４の温度−カラーレジずれ補正量特性図に基づいて、温度変化によるカラーレジずれ量又はその補正量の予測手順、並びに、ひずみによる温度変化によるカラーレジずれ量又はその補正量のさらなる補正について説明する。
【００６６】
図４に示すように、制御ユニット１６６では、画像形成装置１１０内の温度変化に対して、例えば、２つの閾値温度ＯＬＴ１とＯＬＴ２を設定している。
【００６７】
ここで、上記２つの閾値温度ＯＬＴ１、ＯＬＴ２によって分割された温度領域をエリアＡ、Ｂ、Ｃとする。
【００６８】
また、各々の温度領域内での温度を因子としたカラーレジずれの補正成分の変位勾配を、温度が上昇する場合には、ＡＵｐ、ＢＵｐ、ＣＵｐとし（図４の鎖線参照）、温度が下降する場合には、ＡＤｗｎ、ＢＤｗｎ、ＣＤｗｎとする（図４の一点鎖線参照）。
【００６９】
図４は、シアン色を基準色とした場合、当該基準色としてのシアン色の画像に対する他のイエロー色、マゼンタ色、ブラック色の各色の画像位置ずれを、画像形成装置１１０内の温度に対して、予め予測したものであり、当該図４に示すような特性は、実験によって予め求められており、制御ユニット１６６の不揮発性メモリ等に予め記憶されている。
【００７０】
また、図４において、縦軸のカラーレジずれの補正量は、走査線の副走査方向に沿った位置ずれ（Ｙマージン）、走査線の傾き（スキュー）、走査線の湾曲（ボウ）などレジずれ量のうち、いずれか１つに対応して、これを補正するための補正量を示したものである。基本的に、図４に示すような温度に対するレジずれ補正量の特性は、レジずれの種類毎に用意されるが、同様の特性を有するものは、１つの特性グラフで代表させて、この１つの特性グラフを用いても良い。
【００７１】
予測制御を行う場合には、画像位置検出用パターンを形成しないので、上記カラーレジずれの結果か、当該カラーレジずれを補正するための補正量の結果を予測することになる。
【００７２】
まず、カラーレジずれの補正量を予測する場合について説明する。
【００７３】
（温度上昇時の制御）
制御ユニット１６６は、図４に示すように、画像形成装置１１０内の温度を温度検知センサ１８によってモニターし、画像形成装置１１０内の温度がＯＬＴ１に達したことを検知すると、温度勾配単位が１℃であれば、ＯＬＴ１×ＡＵｐをカラーレジずれの補正量として算出する。そして、最終的な補正量は、パターンを検知して補正したときの現補正量をＨＯＳＥＩとした場合に、
ＨＯＳＥＩ＝ＨＯＳＥＩ＋ＯＬＴ１×ＡＵｐ・・・（１）
となる。
【００７４】
ところで、この（１）式には、前述した経時劣化によるカラーレジずれ量が加味されていないことになる。そこで、本実施の形態では、ひずみセンサ５０による検出結果Ｈを前記（１）式に反映させる。
【００７５】
ひずみセンサ５０による検出結果Ｈは、ひずみセンサ５０からの検出出力値Ｈｍと、予め実験による求めた基準出力値Ｈｄとの差Δを示すものである。
【００７６】
この結果、（１）式は、
ＨＯＳＥ＝ＨＯＳＥＩ＋ＯＬＴ１×ＡＵｐ＋Ｈ・・・（２）
となる。
【００７７】
制御ユニット１６６は、この算出結果に基づいて、図３のステップ１０５に示すように、フローチャートの補正部分に進み、実際の補正が行われる。
【００７８】
次に、画像形成装置１１０内の温度がさらに上昇し、温度検知センサ１８によってモニターされる画像形成装置１１０内の温度が、第２の閾値ＯＬＴ２に達すると、上記で補正された補正量に加えた補正が制御ユニット１６６によって行われる。制御ユニット１６６は、温度勾配単位が１℃であれば、（ＯＬＴ２−ＯＬＴ１）×ＢＵｐを追加して補正を行う。カラーレジずれの補正量ＨＯＳＥＩは、
ＨＯＳＥＩ＝ＨＯＳＥＩ＋（ＯＬＴ２−ＯＬＴ１）×ＢＵｐ・・・（３）
となる。
【００７９】
上記と同様に、ひずみ量を考慮すると、（３）式は、
ＨＯＳＥＩ＝ＨＯＳＥＩ＋（ＯＬＴ２−ＯＬＴ１）×ＢＵｐ＋Ｈ・・・（４）
となる。
【００８０】
また、この場合は、前回の閾値ＯＬＴ１のときに補正した補正量の値ＨＯＳＥＩが、何らかの形で次の閾値ＯＬＴ２の補正を行うまで記憶されて残されている場合に適用できる。
【００８１】
（温度下降時の制御）
一方、上記画像形成装置１１０において、画像形成動作の休止状態が続いた場合には、画像形成装置１１０内の温度が徐々に低下し、当該画像形成装置１１０内の温度の下降が温度検知センサ１８によってモニターされる。
【００８２】
なお、本実施の形態では、画像形成装置１１０内の温度が上昇から下降に変化した場合には、基本的にその時点で画像位置検出用パターンを形成したレジずれ補正を行うように構成されている。
【００８３】
制御ユニット１６６は、図４に示すように、画像形成装置１１０内の温度を温度検知センサ１８によってモニターし、画像形成装置１１０内の温度が下降して閾値ＯＬＴ２に達したことを検知すると、温度勾配単位が１℃であれば、ＯＬＴ２×ＣＤｗｎをカラーレジずれの補正量として算出する。そして、最終的な補正量は、パターンを検知して補正したときの現補正量をＨＯＳＥＩとした場合に、
ＨＯＳＥＩ＝ＨＯＳＥＩ−ＯＬＴ２×ＣＤｗｎ・・・（５）
となる。
【００８４】
ところで、この（５）式には、前述した経時劣化によるカラーレジずれ量が加味されていないことになる。そこで、本実施の形態では、ひずみセンサ５０による検出結果Ｈを前記（５）式に反映させる。
【００８５】
ひずみセンサ５０による検出結果Ｈは、ひずみセンサ５０からの検出出力値Ｈｍと、予め実験による求めた基準出力値Ｈｄとの差Δを示すものである。
【００８６】
この結果、（５）式は、
ＨＯＳＥＩ＝ＨＯＳＥＩ−ＯＬＴ２×ＣＤｗｎ＋Ｈ・・・（６）
となる。
【００８７】
制御ユニット１６６は、この算出結果に基づいて、図３のステップ１０５に示すように、フローチャートの補正部分に進み、実際の補正が行われる。
【００８８】
その他の動作も上昇時と同様に行われる。
【００８９】
なお、上記補正は、色毎、あるいはカラーレジずれ成分毎に独立なパラメータ（ＯＬＴＸ、ＸＵｐ、ＸＤｗｎ）を設定すればよく、温度の閾値の数も例では２つであったが、それに拘束されるものではない。
【００９０】
また、前記で述べた補正量そのものをパタメータとして持つ場合には、温度上昇、下降の回数を数えてそれに見合うだけの補正量を決定するように構成しても良い。
【００９１】
このように、上記実施の形態では、画像形成装置１１０内の温度を温度検知センサ１８によって検出して、カラーレジずれを予測補正する際に、温度の上昇時と下降時とで、位置ずれ予測補正量を異ならせるようにした。さらに、ひずみセンサ５０を用い、予測補正量をさらに補正している。
【００９２】
なお、本実施の形態では、温度変化量を図４に示される如く、エリア（Area）に分類し、それぞれの勾配（傾き）に基づいて、補正量を演算するようにしたが、ヒステリス曲線に近似する、二次曲線を生成するようにしてもよい（図８参照）。これにより、本実施の形態では、補正を行うときに温度を因子とした一次式を用いて補正を行うように構成されていたのに対し、実際のずれ量と乖離の大きさを減らすことが可能である。また、この応用としてヒステリシス曲線が線形であれば、そのままその線形を示す関数を利用するようにしてもよい。
【図面の簡単な説明】
【００９３】
【図１】本実施の形態に係る画像形成装置の概略図である。
【図２】本実施の形態に係る画像形成装置を制御するための制御系を示すブロック図である。
【図３】本実施の形態に係る画像形成装置の制御動作を示すフローチャートである。
【図４】本実施の形態に係る画像形成装置において、機内の温度とカラーレジずれの補正量との関係を示す特性図である。
【図５】（Ａ）は本実施の形態に係るひずみセンサの概略図、（Ｂ）はひずみセンサに適用したストレンゲージの拡大図である。
【図６】（Ａ）は本実施の形態に係る光走査装置の正面図、（Ｂ）は正常時（ひずみ無し）の図６（Ａ）の左側面図、（Ｃ）は異常時（ひずみ有り）の図６（Ａ）の左側面図である。
【図７】ひずみセンサを反射ミラーの非反射面（裏面）に貼り付けた場合の側面図である。
【図８】本実施の形態の変形例に係る画像形成装置において、機内温度とカラーレジずれの補正量との関係を示す特性図である。
【符号の説明】
【００９４】
Ｐ    用紙
１０    マイクロコンピュータ（予測補正手段、ひずみ補正手段）
１２    不揮発性メモリ（ＮＶＭ）
１４    画像データ展開回路（Video Asic）
１６    ＲＯＳ制御部
１８    温度センサ（温度検出手段）
２０    光走査装置（躯体）
２０Ａ    筐体
２０Ｂ    保持部材（光走査部）
２３    ポリゴンミラー（光走査部）
２５    反射ミラー（光走査部）
５０    ひずみセンサ（ひずみ検出手段）
５２    ストレンゲージ（ひずみ検出手段）
５４    ブリッジ回路（ひずみ検出手段）
５４（Ａ、Ｂ、Ｃ、Ｄ）    配線
５６、５８    固定抵抗
６０    摺動抵抗
６２    ゲージベース
６４    ゲージ（ひずみ検出手段）
６６    外部配線端子部
１１０    画像形成装置
１１０Ａ    側壁
１１１（Ａ、Ｂ、Ｃ、Ｄ）  現像装置（画像形成手段）
１１６    感光体ドラム（画像形成手段）
１１８    帯電ロール（画像形成手段）
１２０    プロセスカートリッジ（画像形成手段）
１２２    イレーズランプ（画像形成手段）
１２４    給紙カセット
１２６    ピックアップロール
１２８    搬送ロール
１３０    レジストレーションロール
１３２    用紙搬送路
１４６，１４８    張架ロール
１５０    搬送ベルト
１５２    転写ロール
１５４    吸着ロール
１５５    濃度センサ
１５６    定着装置（画像形成手段）
１５８    排出ロール
１６０    排出トレイ
１６６    制御ユニット
【図１】
2010072325.tif 000004
【図２】
2010072325.tif 000005
【図３】
2010072325.tif 000006
【図４】
2010072325.tif 000007
【図５】
2010072325.tif 000008
【図７】
2010072325.tif 000009
【図８】
2010072325.tif 000010
【図６】
2010072325.tif 000011